(57)【要約】【課題】  振動、電気的ステップ角度精度、トルクの各面で改善された三相ステッピングモータの駆動回路を提供する。【解決手段】  三相ステッピングモータの駆動回路４０において、三相ステッピングモータ１１に流す所定の電流パターンを制御ＩＣ１７に組み込むと共に、パルス列またはＣＷ回転パルス列の生成手段１と、回転方向信号またはＣＣＷ回転パルス列の生成手段２と、マイクロステップ信号の設定手段３と、ＰＷＭ信号の正弦波形振幅の設定手段１４と、ＰＷＭ信号のデッドタイム設定手段１５とを具備した構成とした。【選択図】  図１
2007028839.tif 000002
【特許請求の範囲】
【請求項１】
三相ステッピングモータの駆動回路において、
三相ステッピングモータに流す所定の電流パターンが組み込まれている制御ＩＣを具備したことを特徴とする三相ステッピングモータの駆動回路。
【請求項２】
前記三相ステッピングモータの駆動回路は、
パルス列またはＣＷ回転パルス列の生成手段と、
回転方向信号またはＣＣＷ回転パルス列の生成手段と、
マイクロステップ信号の設定手段と、
ＰＷＭ信号の正弦波形振幅の設定手段と、
ＰＷＭ信号のデッドタイム設定手段と、
を具備したことを特徴とする請求項１に記載の三相ステッピングモータの駆動回路。
【請求項３】
前記三相ステッピングモータの駆動回路は、
モータ印加電圧制御部を備えるようにしたことを特徴とする請求項１又は２に記載の三相ステッピングモータの駆動回路。
【請求項４】
前記三相ステッピングモータの駆動回路は、
パルス列またはＣＷ回転パルス列の生成手段と、
回転方向信号またはＣＣＷ回転パルス列の生成手段と、
前記パルス列またはＣＷ回転パルス列の生成手段からの入力と回転方向信号または前記回転方向信号またはＣＣＷ回転パルス列の生成手段からの入力と回転方向信号を判別するパルス列入力法選択の設定手段と、
を具備したことを特徴とする請求項１に記載の三相ステッピングモータの駆動回路。
【請求項５】
前記制御ＩＣに組み込まれている三相ステッピングモータに流す所定の電流パターンには、
第三高調波が加算されていることを特徴とする請求項１乃至４のいずれかに記載の三相ステッピングモータの駆動回路。
【請求項６】
前記制御ＩＣに組み込まれている三相ステッピングモータに流す所定の電流パターンには、
デッドタイム成分が加算されていることを特徴とする請求項１乃至５のいずれかに記載の三相ステッピングモータの駆動回路。
【請求項７】
マイクロステップのＰＷＭ信号パターンデータは、前記制御ＩＣに組み込まれている三相ステッピングモータに流す第三高調波が加算されている所定の電流パターンの近似データの振幅を、外部の入力信号により調整できる外部入力手段を備えたことを特徴とする請求項５又は６に記載の三相ステッピングモータの駆動回路。
【発明の詳細な説明】
【技術分野】
【０００１】
本発明は、プリンタ、複写機、ロボットなどに用いられる三相ステッピングモータの駆動回路に係り、特に、振動、電気的ステップ角度精度、トルクの各面で改善された三相ステッピングモータの駆動回路の改良に関する。
【背景技術】
【０００２】
特許文献１及び２に開示されているように、三相ステッピングモータの駆動回路が実用に供されているが、ここでは、従来の三相ステッピングモータの駆動回路について、図７を用いて説明する。
図７は、従来の三相ステッピングモータの駆動回路６０の構成を示すブロック図である。
【０００３】
図７に示すように、従来の三相ステッピングモータの駆動回路６０は、パルス列またはＣＷ（Clock Wise）回転パルス列の生成手段１、回転方向信号またはＣＣＷ（Counter Clock Wise）回転パルス列生成手段２、マイクロステップ信号の設定手段３、目標電流値入力手段５、差動アンプ６、分周・分配回路部７、制御部８、パワーＭＯＳ−ＦＥＴとそのドライブ回路９、電流検出素子１０、モータ電源手段１２を備え、三相ステッピングモータ１１の駆動を制御する。
また、図７に示すように、従来の三相ステッピングモータの駆動回路６０では、差動アンプ６、分周・分配回路部７、制御部８により制御ＩＣ６７を構成する。
【０００４】
以上の構成で、従来の三相ステッピングモータの駆動回路６０の基本動作を図７を用いて説明する。
従来の三相ステッピングモータの駆動回路６０では、三相ステッピングモータ１１に流す電流に相当するＰＷＭ（Pulse Wide Modulation）信号を生成する際には、電流検出素子１０からフィードバックされた信号と目標電流値入力手段５の基準電圧との差分を差動アンプ６で求め、この差分を制御部８に入力し、規定の制御方法でパワーＭＯＳ−ＦＥＴとそのドライブ回路９を通じて、三相ステッピングモータ１１を駆動するようにしていた。
また、三相ステッピングモータ１１に流れる電流は正弦波形であり、その振幅は目標電流値入力手段５により設定される。
【０００５】
【特許文献１】特開平９−３２２５９６号
【特許文献２】特開平１０−１９１６９４号
【発明の開示】
【発明が解決しようとする課題】
【０００６】
次に、従来の三相ステッピングモータの駆動回路６０の問題点を図７を用いて説明する。
従来の三相ステッピングモータの駆動回路６０では、三相ステッピングモータ１１に流す電流に相当するＰＷＭ信号を生成する際の電流検出素子１０からのフィードバック信号と差動アンプ６の出力信号には、抵抗等による電気的な誤差が存在するため、モータ電流の正弦波形が歪んでしまい、モータ１１の振動になってしまうという問題を備えている。
【０００７】
また、従来の三相ステッピングモータの駆動回路６０では、三相ステッピングモータ１１の低速回転領域では、モータ電流に相当するＰＷＭ信号のＯＮ時間がパワーＭＯＳ−ＦＥＴ９のゲートの立ち上がり及び立ち下がり時間以下になることがあるため、電流制御ループの誤差による歪みを更に悪化させてしまい、モータ振動の増大になってしまう。
【０００８】
本発明は、上記従来の課題を解決し、振動、電気的ステップ角度精度、トルクの各面で改善された三相ステッピングモータの駆動回路を提供することを目的とする。
【課題を解決するための手段】
【０００９】
本発明の三相ステッピングモータの駆動回路は、請求項１に記載のものでは、三相ステッピングモータの駆動回路において、三相ステッピングモータに流す所定の電流パターンが組み込まれている制御ＩＣを具備した構成とした。
【００１０】
請求項２に記載の三相ステッピングモータの駆動回路は、パルス列またはＣＷ回転パルス列の生成手段と、回転方向信号またはＣＣＷ回転パルス列の生成手段と、マイクロステップ信号の設定手段と、ＰＷＭ信号の正弦波形振幅の設定手段と、ＰＷＭ信号のデッドタイム設定手段と、を具備した構成とした。
【００１１】
請求項３に記載の三相ステッピングモータの駆動回路は、モータ印加電圧制御部を備えるように構成した。
【００１２】
請求項４に記載の三相ステッピングモータの駆動回路は、パルス列またはＣＷ回転パルス列の生成手段と、回転方向信号またはＣＣＷ回転パルス列の生成手段と、前記パルス列またはＣＷ回転パルス列の生成手段からの入力と回転方向信号または前記回転方向信号またはＣＣＷ回転パルス列の生成手段からの入力と回転方向信号を判別するパルス列入力法選択の設定手段と、を具備した構成とした。
【００１３】
請求項５に記載の三相ステッピングモータの駆動回路は、前記制御ＩＣに組み込まれている三相ステッピングモータに流す所定の電流パターンには、第三高調波が加算されている構成とした。
【００１４】
請求項６に記載の三相ステッピングモータの駆動回路は、前記制御ＩＣに組み込まれている三相ステッピングモータに流す所定の電流パターンには、デッドタイム成分が加算されている構成とした。
【００１５】
請求項７に記載の三相ステッピングモータの駆動回路は、マイクロステップのＰＷＭ信号パターンデータでは、前記制御ＩＣに組み込まれている三相ステッピングモータに流す第三高調波が加算されている所定の電流パターンの近似データの振幅を、外部の入力信号により調整できる外部入力手段を備えた構成とした。
【発明の効果】
【００１６】
本発明の三相ステッピングモータの駆動回路は、上述のように構成したために、以下のような優れた効果を有する。
（１）請求項１に記載したように構成すると、制御ＩＣには、予め、三相ステッピングモータに流す所定の電流パターンが組み込まれているため、フィードバック信号を利用せず、三相ステッピングモータは、振動、電気的ステップ角度精度、トルクの各面で改善できる。
【００１７】
（２）請求項２に記載したように構成すると、制御ＩＣには、予め、三相ステッピングモータに流す所定の電流パターンが組み込まれているため、フィードバック信号を利用せず、モータ電流の正弦波形が歪んでしまい、モータの振動になってしまうという問題が回避できる。
（３）また、モータ励磁用ＰＷＭ信号の生成工程から定電流ループを切り離したことで、電流検出素子と差動アンプによる制御系の誤差、及び、パワーＭＯＳ−ＦＥＴのゲート信号の立ち上がり、立ち下がり時間の影響による振動が低減できる。
【００１８】
（４）請求項３に記載したように構成すると、モータ電源手段のレベルをモータ印加電圧制御部で制御し、ＰＷＭ信号の正弦波近似の振幅が変調されるようになるので、異なる定格電流を持つ種々の三相ステッピングモータに適用できるようになる。
【００１９】
（５）請求項４に記載したように構成すると、パルス列／回転方向信号とＣＷパルス列／ＣＣＷパルス列という２種類の指令信号に対応可能となる。
【００２０】
（６）請求項５に記載したように構成すると、三相ステッピングモータが高速回転域まで駆動できるようになる。
【００２１】
（７）請求項６に記載したように構成すると、モータ励磁用ＰＷＭ信号の生成工程から定電流ループを切り離すことが可能になり、電流検出素子と差動アンプ及びパワーＭＯＳ−ＦＥＴのゲート信号の立ち上がり、及び、立ち下がり時間の影響による振動が低減できる。
（８）また、矩形波に近い波形を三相ステッピングモータの制御ＩＣにモータ励磁用ＰＷＭ信号データとして盛り込むことで、実効電流が増大することになり、トルクアップと共にモータ回転の広域化ができる。
【００２２】
（９）請求項７に記載したように構成すると、制御ＩＣに組み込まれたモータ電流波形は元々正弦波のため、この正弦波の振幅が３ビットの入力信号により変更が可能になる。
【発明を実施するための最良の形態】
【００２３】
本発明の三相ステッピングモータの駆動回路の第１、第２の各実施の形態について、図１乃至図６を用いて、順次説明する。
【００２４】
第１の実施の形態
以下、本発明の三相ステッピングモータの駆動回路の第１の実施の形態について、図１を用いて説明する。
図１は、本発明の三相ステッピングモータの駆動回路の第１の実施の形態の構成を示すブロック図である。
【００２５】
先ず、本実施の形態の三相ステッピングモータの駆動回路の基本構成について図１を用いて説明する。
図１に示すように、本実施の形態の三相ステッピングモータの駆動回路４０は、パルス列またはＣＷ回転パルス列の生成手段１、回転方向信号またはＣＣＷ回転パルス列生成手段２、マイクロステップ信号の設定手段３、パルス列入力法選択の設定手段４、目標電流値入力手段５、差動アンプ６、分周・分配回路部７、制御部８、パワーＭＯＳ−ＦＥＴとそのドライブ回路９、電流検出素子１０、モータ電源手段１２、モータ印加電圧制御部１３、ＰＷＭ信号の正弦波形振幅の設定手段１４、ＰＷＭ信号のデッドタイム設定手段１５、ＰＷＭ信号出力許可の設定手段１６を備え、三相ステッピングモータ１１の駆動を制御する。
【００２６】
また、図１に示すように、本実施の形態の三相ステッピングモータの駆動回路４０では、分周・分配回路部７、制御部８により制御ＩＣ１７を構成する。
更に、本実施の形態の三相ステッピングモータの駆動回路４０では、この制御ＩＣ１７には、三相ステッピングモータに流す所定の電流パターンが組み込まれていることに最大の特徴を有している。
なお、制御ＩＣ１７に組み込まれている三相ステッピングモータ１１に流す所定の電流パターンの詳細については、第２の実施の形態において、詳細に説明する。
【００２７】
次に、本実施の形態の三相ステッピングモータの駆動回路４０の基本動作について図１を用いて説明する。
図１に示すように、本実施の形態の三相ステッピングモータの駆動回路４０では、パルス列またはＣＷ回転パルス列の生成手段１、回転方向信号またはＣＣＷ回転パルス列生成手段２、マイクロステップ信号の設定手段３、パルス列入力法選択の設定手段４、ＰＷＭ信号の正弦波形振幅の設定手段１４、ＰＷＭ信号のデッドタイム設定手段１５を用いて、制御ＩＣ１７に、予め組み込まれた三相ステッピングモータ１１に流す所定の電流パターンに基づいて、ＰＷＭ信号を生成するようにしている。
【００２８】
このようにすると、前記のように従来の三相ステッピングモータの駆動回路６０では、モータ電流制御ループから差動アンプ６を通して制御部８に入力されるフィードバック信号を利用して、所定の電流パターンを生成していたが、本実施の形態の三相ステッピングモータの駆動回路４０では、制御ＩＣ１７には、予め、三相ステッピングモータ１１に流す所定の電流パターンが組み込まれているため、フィードバック信号を利用せず、従って、上記したように、モータ電流の正弦波形が歪んでしまい、モータ１１の振動になってしまうという従来の問題点が回避できる。
また、モータ励磁用ＰＷＭ信号の生成工程から定電流ループを切り離したことで、電流検出素子１０と差動アンプ６による制御系の誤差、及び、パワーＭＯＳ−ＦＥＴのゲート信号の立ち上がり、立ち下がり時間の影響による振動が低減できる。
【００２９】
更に、本実施の形態の三相ステッピングモータの駆動回路４０では、三相ステッピングモータ１１に前記のＰＷＭ信号が適用できるように、電流検出素子１０からフィードバックされている信号と目標電流値入力手段５の基準電圧との差分値を差動アンプ６で求めるようにしている。
これを用いて、モータ電源手段１２のレベルをモータ印加電圧制御部１３で制御し、この結果、前記のＰＷＭ信号の正弦波近似の振幅が変調される。
よって、異なる定格電流を持つ種々の三相ステッピングモータに適用できるようになる。
【００３０】
第２の実施の形態
以下、本発明の三相ステッピングモータの駆動回路の第２の実施の形態について、図２乃至図６を用いて説明する。
図２は、本発明の三相ステッピングモータの駆動回路の第２の実施の形態の構成を示すブロック図である。
図３は、本実施の形態の三相ステッピングモータの駆動回路の制御ＩＣ内のモータ励磁ＰＷＭ信号データの近似の仕組みを説明するための特性図である。
図４は、本実施の形態の三相ステッピングモータの駆動回路の制御ＩＣ内部の機能ブロック図である。
図５及び６は、本発明の三相ステッピングモータの駆動回路の第２の実施の形態の補足説明するための図である。
【００３１】
先ず、本実施の形態の三相ステッピングモータの駆動回路の基本構成について図２を用いて説明する。
図２に示すように、本実施の形態の三相ステッピングモータの駆動回路５０は、パルス列またはＣＷ回転パルス列の生成手段１、回転方向信号またはＣＣＷ回転パルス列生成手段２、マイクロステップ信号の設定手段３、パルス列入力法選択の設定手段４、目標電流値入力手段５、差動アンプ６、分周・分配回路部７、制御部８、パワーＭＯＳ−ＦＥＴとそのドライブ回路９、電流検出素子１０、モータ電源手段１２、モータ印加電圧制御部１３、ＰＷＭ信号の正弦波形振幅の設定手段１４、ＰＷＭ信号のデッドタイム設定手段１５、ＰＷＭ信号出力許可の設定手段３６を備え、三相ステッピングモータ１１の駆動を制御する。
【００３２】
また、図２に示すように、本実施の形態の三相ステッピングモータの駆動回路５０では、分周・分配回路部７、制御部８により制御ＩＣ３７を構成する。
更に、本実施の形態の三相ステッピングモータの駆動回路５０では、この制御ＩＣ３７には、第１の実施の形態と同様に、三相ステッピングモータ１１に流す所定の電流パターンが組み込まれていることに最大の特徴を有している。
【００３３】
また、図４に示すように、制御ＩＣ３７の分周・分配回路部７は、更に、カウンタ部２０、マイクロステップのビットパターンのアドレス指定部２１、４８ビットカウンタと三相分カウンタ分配部２２、相切り替えアドレス２３、三相分の出力波形ビットパターン生成部２４より構成される。
【００３４】
更に、制御部８は、振幅切替器２５、電流設定器２６、ＰＷＭ信号への変換部２７、デッドタイム値の加算器２８、ＰＷＭ信号出力コントロール部２９を各相毎に備えることにより構成される。
【００３５】
次に、本実施の形態の三相ステッピングモータの駆動回路５０の特徴について図２及び図３を用いて詳細に説明する。
図２に示すように、本実施の形態の三相ステッピングモータの駆動回路５０では、パルス列またはＣＷ回転パルス列の生成手段１、回転方向信号またはＣＣＷ回転パルス列生成手段２、マイクロステップ信号の設定手段３、パルス列入力法選択の設定手段４、ＰＷＭ信号の正弦波形振幅の設定手段１４、ＰＷＭ信号のデッドタイム設定手段１５を用いて、制御ＩＣ３７に、予め組み込まれた三相ステッピングモータ１１に流す所定の電流パターンに基づいて、ＰＷＭ信号を生成するようにしている。
【００３６】
また、パワーＭＯＳ−ＦＥＴの上アームと下アームの短絡を防止するためにはデッドタイムを設ける必要があるが、デッドタイムの設定が大きければ、モータ電流波形の歪みになってしまうため、モータ励磁のＰＷＭ信号パターンデータにはデッドタイム設定に相当する補正値を盛り込む。
更に、モータ１１が高速回転域まで駆動できるように、最終的に第三高調波のデータも盛り込む。
【００３７】
即ち、図３に示すように、正弦波形近似になったモータ励磁用ＰＷＭ信号Ｃ１に、デッドタイム成分Ｃ２を盛り込み、このデッドタイム成分Ｃ２を盛り込んだ波形Ｃ３に第三高調波Ｃ４を盛り込んだ波形は、矩形波に近い波形Ｃ５となり、この波形Ｃ５の近似データをＰＷＭ信号データとして三相ステッピングモータの駆動回路５０の制御ＩＣ３７に組み込んでいる。
【００３８】
従って、本実施の形態の三相ステッピングモータの駆動回路５０では、モータ励磁用ＰＷＭ信号の生成工程から定電流ループを切り離したことで、電流検出素子１０と差動アンプ６による制御系の誤差及びパワーＭＯＳ−ＦＥＴのゲート信号の立ち上がり・立ち下がり時間の影響によるモータ１１の振動が低減できる。
【００３９】
また、本実施の形態の三相ステッピングモータの駆動回路５０では、図３に示す矩形波に近い波形Ｃ５を制御ＩＣ３７にモータ励磁用ＰＷＭ信号データとして組み込むことで、実効電流が増大することになり、トルクアップと共にモータ回転の広域化が可能になる。
【００４０】
次に、本実施の形態の三相ステッピングモータの駆動回路５０の基本動作について図４を用いて説明する。
本実施の形態の三相ステッピングモータの駆動回路５０では、パルス列またはＣＷ回転パルス列の生成手段１、回転方向信号またはＣＣＷ回転パルス列生成手段２と、これらの信号入力法を判別するパルス列入力法選択の設定手段４により、加算または減算カウントをカウンタ部２０で行う。
【００４１】
また、繰り返しのカウントや、１２０°の位相差を持つ三相分のカウントができるように４８ビットカウンタと三相分カウンタ分配部２２でビットカウント調整を行う。
【００４２】
これにより、相切り替えアドレス２３で求めたアドレスと、マイクロステップ信号の設定手段３を用いてマイクロステップのビットパターンのアドレス指定２１で求めたアドレス値と、三相分の出力波形ビットパターン生成部２４で各相用のビットパターンを生成する。
【００４３】
各相のビットパターンを用いて、各モータ電流近似値の振幅を振幅切替器２５で求めて、ＰＷＭ信号の正弦波形振幅の設定手段１４で生成された振幅に比率を電流設定値２６を掛け合わせて、ＰＷＭ信号への変換部２７でＰＷＭ信号に変換させる。
更に、ＰＷＭ信号のデッドタイム設定手段１５のもとにデッドタイム値の加算器２８でデッドタイム成分をＰＷＭ信号に盛り込む。
【００４４】
最後に、ＰＷＭ信号出力許可の設定手段３６により、このＰＷＭ信号を制御ＩＣ３７からパワーＭＯＳ−ＦＥＴへ出力するか否かが決定される。
【００４５】
従って、本実施の形態の三相ステッピングモータの駆動回路５０によれば、上記したように、モータ電流制御ループから差動アンプ６を通して制御部８に入力されるフィードバック信号を利用せずに、ＣＷ回転パルス列の生成手段１、回転方向信号またはＣＣＷ回転パルス列生成手段２、マイクロステップ信号の設定手段３、ＰＷＭ信号の正弦波形振幅の設定手段１４、ＰＷＭ信号のデッドタイム設定手段１５を用いてＰＷＭ信号を生成するようにしているために、モータ励磁用ＰＷＭ信号の生成工程から定電流ループから切り離すことが可能になり、電流検出素子１０と差動アンプ６による制御系の誤差及びパワーＭＯＳ−ＦＥＴ９のゲート信号の立ち上がり、及び、立ち下がり時間の影響による振動が低減できる。
【００４６】
また、図３に示す矩形波に近い波形を三相ステッピングモータの制御ＩＣ３７にモータ励磁用ＰＷＭ信号データとして盛り込むことで、実効電流が増大することになり、トルクアップと共にモータ回転の広域化ができる。
【００４７】
次に、本実施の形態の三相ステッピングモータの駆動回路５０について図５及び図６を用いて補足説明する。
本実施の形態の三相ステッピングモータの駆動回路５０では、パルス列／回転方向信号とＣＷパルス列／ＣＣＷパルス列という２種類の指令信号に対応している。
ステッピングモータ１１の回転速度はこの入力パルスの周波数に比例している。
どちらの種類の指令信号には、必ず２つの入力信号が必要であることから、パルス列またはＣＷ回転パルス列の生成手段１からの入力と、回転方向信号またはＣＣＷ回転パルス列生成手段２からの入力ポートがそれぞれ一つずつ設けられている。
【００４８】
また、両者の入力仕様を切り替えるのは、これらの信号入力法を判別するパルス列入力法選択の設定手段４からの一つの入力信号により行われる。
従って、パルス列またはＣＷ回転パルス列の生成手段１、回転方向信号またはＣＣＷ回転パルス列生成手段２、パルス列入力法選択の設定手段４を用いてカウンタ部２０で加算または減算カウントを行う。
【００４９】
一般に、三相ステッピングモータ１１は、Ｕ相、Ｖ相、Ｗ相の電流が入力される３つのコイルを有しており、それぞれの相に流れる電流波形が正弦波で、相互の正弦波形が１２０°の位相差を持っているのが理想的である。
【００５０】
ステッピングモータ１１の駆動では正弦波形に近いモータ電流を得るためには、正弦波形を図５に示すように階段近似にする。
ここで各段はモータ電流生成用のＰＷＭ信号（固定周波数のパルス内のＯＮ幅／時間軸が規定の条件で変調される信号）のＯＮデューティ比（１周期幅に対するＯＮ幅の比率）を表している。
【００５１】
この階段近似は、モータ励磁といわれ、正弦波形の１周期分のステップ数が決まっている。
それは、
２相励磁（フルステップ）＝６パルス／周期、
２−３相励磁（ハーフステップ）＝１２パルス／周期、
Ｗ２−３相励磁（４分割）＝２４パルス／周期、
２Ｗ２−３相励磁（８分割）＝４８ステップ／周期、
４Ｗ２−３相励磁（１６分割）＝９６ステップ／周期、
などがある。
ここで、図５は、２Ｗ２−３相励磁を示している。
【００５２】
本実施の形態では、２Ｗ２−３相励磁まで対応しているため、カウンタ部２０でカウントされた値を４８カウントまでに制限し、かつ３相分のカウント値（相互に１２０°位相差のカウント値）に変換する必要があるが、その役割は三相分カウント分配部２２が担っている。
【００５３】
次に、三相分カウント分配部２２から出力されたカウント値に格納されているビットパターンデータを読み込むためのアドレス値との関係を三相分の出力波形ビットパターン生成部２４で作る。
この三相分の出力波形ビットパターン生成部２４にもそのビットパターンデータが格納されている。
そのアドレス値は、マイクロステップ信号の設定手段３をもってマイクロステップのビットパターンのアドレス生成部２１で生成されるものと相切り替え（正弦波形が０となるポイント）アドレス２３のものがある。
【００５４】
三相分の出力波形ビットパターン生成部２４で生成された各相用のビットパターンデータを振幅切替部でＰＷＭデータ信号のＯＮ幅（時間軸）データ（カウント値）に変換する。
【００５５】
ＰＷＭデータ正弦波形の振幅が変調できるように、ＰＷＭデータ信号の正弦波形振幅の設定手段１４から３ビットのデータをもって振幅切替部で生成されたＰＷＭ信号のＯＮ幅データに比率を、電流設定値でかけて、ＰＷＭ信号への変換部２７でＷＭ信号を生成する。
【００５６】
更に、ＰＷＭ信号のデッドタイム設定手段１５のもとにデッドタイム値の加算器２８でデッドタイム成分をＰＷＭ信号に盛り込む。
【００５７】
最後に、ＰＷＭ信号出力許可の設定手段３６により、このＰＷＭ信号を制御ＩＣ３７からパワーＭＯＳ−ＦＥＴ３０〜３５へ出力されるか否かが決定される。
実際に本実施の形態のものに組み込まれたＰＷＭパターンは、代表として図６に示している２Ｗ２−３相のＰＷＭパターン階段近似パターン（第３高調波とデッドタイムを含む）である。
【図面の簡単な説明】
【００５８】
【図１】本発明の三相ステッピングモータの駆動回路の第１の実施の形態の構成を示すブロック図である。
【図２】本発明の三相ステッピングモータの駆動回路の第２の実施の形態の構成を示すブロック図である。
【図３】本実施の形態の三相ステッピングモータの駆動回路の制御ＩＣ内のモータ励磁ＰＷＭ信号データの近似の仕組みを説明するための特性図である。
【図４】本実施の形態の三相ステッピングモータの駆動回路の制御ＩＣ内部の機能ブロック図である。
【図５】本発明の三相ステッピングモータの駆動回路の第２の実施の形態の補足説明するための図である。
【図６】本発明の三相ステッピングモータの駆動回路の第２の実施の形態の補足説明するための図である。
【図７】従来の三相ステッピングモータの駆動回路６０の構成を示すブロック図である。
【符号の説明】
【００５９】
１：パルス列またはＣＷ回転パルス列の生成手段
２：回転方向信号またはＣＣＷ回転パルス列生成手段
３：マイクロステップ信号の設定手段
４：パルス列入力法選択の設定手段
５：目標電流値入力手段
６：差動アンプ
７：分周・分配回路部
８：制御部
９：パワーＭＯＳ−ＦＥＴとそのドライブ回路
１０：電流検出素子
１１：三相ステッピングモータ
１２：モータ電源手段
１３：モータ印加電圧制御部
１４：ＰＷＭ信号の正弦波形振幅の設定手段
１５：ＰＷＭ信号のデッドタイム設定手段
１６、３６：ＰＷＭ信号出力許可の設定手段
１７、３７、６７：制御ＩＣ
４０、５０：三相ステッピングモータの駆動回路
Ｃ１：正弦波形のモータ励磁用ＰＷＭ信号データ
Ｃ２：デッドタイム成分波形
Ｃ３：デッドタイム成分を含む波形のモータ励磁用ＰＷＭ信号データ
Ｃ４：第３高調波成分波形
Ｃ５：デッドタイム成分と第３高調波成分を含む波形のモータ励磁用ＰＷＭ信号データ
【図１】
2007028839.tif 000003
【図２】
2007028839.tif 000004
【図３】
2007028839.tif 000005
【図４】
2007028839.tif 000006
【図５】
2007028839.tif 000007
【図６】
2007028839.tif 000008
【図７】
2007028839.tif 000009